(57)【要約】射出成形法により形成された凹凸を有して再生されるべき情報が記録される再生専用領域と、当該再生専用領域に積層されて光照射により状態が変化する再生制御層とを有する情報媒体において、前記情報の中で再生が禁止される情報を決定するステップと、前記再生が禁止された情報に対応する前記再生専用領域の位置に前記光照射を行って前記再生制御層を前記情報の再生が可能な再生許容状態から前記情報の再生が不可能な再生禁止状態に変化させるステップとを有する再生制御方法を提供する。また、かかる情報媒体、その製造方法並びに駆動方法も提供する。
2002082434.tif 000002
【特許請求の範囲】
【請求項１】
射出成形法により形成された凹凸を有して再生されるべき情報が記録される再生専用領域と、当該再生専用領域に積層されて光照射により状態が変化する再生制御層とを有する情報媒体において、前記情報の中で再生が禁止される情報を決定するステップと、
前記再生が禁止された情報に対応する前記再生専用領域の位置に前記光照射を行って前記再生制御層を前記情報の再生が可能な再生許容状態から前記情報の再生が不可能な再生禁止状態に変化させるステップとを有する再生制御方法。
【請求項２】
前記再生制御層は有機色素により形成される請求項１記載の再生制御方法。
【請求項３】
前記情報媒体は、ディレクトリのファイルに対応した管理情報を記録単位毎に配置し、
前記変化ステップは、前記管理情報を再生禁止状態に設定する請求項１記載の再生制御方法。
【請求項４】
前記記録単位は誤り訂正符号単位である請求項３記載の再生制御方法。
【請求項５】
前記光照射ステップは、前記情報媒体の再生装置を使用する請求項１記載の再生制御方法。
【請求項６】
前記情報媒体は、情報を新たに又は追加的に記録することができる記録可能領域を更に含み、前記再生制御層は前記記録可能領域にも積層されて当該記録可能領域への記録を可能にする有機色素である請求項１記載の再生制御方法。
【請求項７】
前記情報媒体は、情報を新たに又は追加的に記録することができる記録可能領域を更に含み、
前記決定ステップは、前記記録可能領域に記録された駆動装置に固有の識別子と駆動日時とを含む履歴情報を利用する請求項１記載の再生制御方法。
【請求項８】
前記履歴情報は前記再生専用領域が格納する各データの再生条件を含み、前記変化ステップは、前記履歴情報を読み出して前記データを再生禁止にするステップを有する請求項７記載の再生制御方法。
【請求項９】
前記再生条件は前記データの再生回数を含む請求項８記載の再生制御方法。
【請求項１０】
前記再生条件は前記データの再生時間を含む請求項８記載の再生制御方法。
【請求項１１】
前記再生条件は前記データの有効期限を含む請求項８記載の再生制御方法。
【請求項１２】
前記記録可能領域の残容量を利用して、前記再生専用領域が格納する各データを再生禁止にするかどうかを判断するステップを更に有する請求項１記載の再生制御方法。
【請求項１３】
前記残容量の調整に前記履歴情報の記録及びダミーマークの記録を利用する請求項１２記載の再生制御方法。
【請求項１４】
再生されるべき情報が記録された再生専用領域と、当該再生専用領域に積層されて光照射により状態が変化する再生制御層とを有する情報媒体を駆動する駆動装置であって、
前記情報を再生する再生部と、
前記再生専用領域の所定位置に前記光照射を行って前記再生制御層を前記情報の再生が可能な再生許容状態から前記情報の再生が不可能な再生禁止状態に変化させて前記所定位置に対応する情報の再生を禁止する光照射部とを有する駆動装置。
【請求項１５】
前記情報媒体は、情報を新たに又は追加的に記録することができる記録可能領域を更に含み、前記再生制御層は前記記録可能領域にも積層されて当該記録可能領域への記録を可能にする有機色素であり、
前記駆動装置は、前記記録可能領域へ情報を記録する記録部を更に有する請求項１４記載の駆動装置。
【請求項１６】
前記再生専用領域からの再生信号と、前記記録可能領域で記録された情報の再生信号のそれぞれの反射強度レベルを検出する検出部と、
前記検出部の判断に基づいて前記情報媒体が前記再生制御層を有するかどうかを判断する判断部とを有する請求項１４記載の駆動装置。
【請求項１７】
前記情報媒体は、情報を新たに又は追加的に記録することができる記録可能領域を更に含み、
前記駆動装置は、前記記録可能領域に記録された駆動装置に固有の識別子を格納するメモリとタイマを更に有する請求項１４記載の駆動装置。
【請求項１８】
前記駆動装置は、通信により駆動装置の外部装置から時間情報を取得する機能を有する請求項１４記載の駆動装置．
【請求項１９】
射出成形法により形成された凹凸ピットから形成され、再生されるべき情報が記録される再生専用領域と、
情報を新たに又は追加的に記録することができる記録可能領域と、
有機色素により形成されると共に前記再生専用領域及び前記記録可能領域に積層され、光照射により、前記再生専用領域の再生又は前記記録可能領域の記録再生を許容する許容状態から前記再生専用領域の再生又は前記記録可能領域の記録再生を禁止する禁止状態に変化する再生制御層とを有する情報媒体であって、
前記再生専用領域及び前記記録可能領域は、フォトレジストを用いたマスタリングプロセスにより作成された単一のスタンパにより製造されることを特徴とする情報媒体。
【請求項２０】
前記記録可能領域は案内溝を有し、当該案内溝の溝幅は、前記再生専用領域の凹凸ピットの幅よりも広い請求項１９記載の情報媒体。
【請求項２１】
前記記録可能領域は案内溝を有し、
前記有機色素は、前記再生専用領域の前記凹凸ピット及び前記記録可能領域の前記案内溝の底部に９０ｎｍ以上の厚さを有する請求項１９記載の情報媒体。
【請求項２２】
前記再生制御層の再生レーザー光波長に対する屈折率ｎは、１．９以上である請求項１９記載の情報媒体。
【請求項２３】
前記スタンパは、
前記フォトレジストを１４０ｎｍ乃至２２０ｎｍの厚みで形成するステップと、
レーザーカッティングするステップとを有する方法によって作成される請求項１９記載の情報媒体。
【請求項２４】
前記再生専用領域の前記凹凸ピットの厚みは１３０ｎｍ乃至２３０ｎｍである請求項１９記載の情報媒体。
【請求項２５】
前記再生専用領域はフラット部を更に有し、
前記再生制御層は、前記凹凸ピットの底部と前記フラット部との再生レーザー光の波長に対する光学的干渉の有無によって生ずる信号が、最大反射強度に対する信号振幅の変調度にして３５％〜６０％である請求項１７記載の情報媒体。
【請求項２６】
再生されるべき情報が記録される再生専用領域を射出成形法により形成された凹凸ピットから形成するステップと、
情報を新たに又は追加的に記録することができる記録可能領域を形成するステップと、
有機色素により形成されると共に前記再生専用領域及び前記記録可能領域に積層され、光照射により、前記再生専用領域の再生又は前記記録可能領域の記録再生を許容する許容状態から前記再生専用領域の再生又は前記記録可能領域の記録再生を禁止する禁止状態に変化する再生制御層を有機色素により形成するステップとを有し、
前記再生専用領域及び前記記録可能領域の形成ステップは、フォトレジストを用いたマスタリングプロセスにより作成された単一のスタンパにより製造される情報媒体の製造方法。
【請求項２７】
前記スタンパは、
前記フォトレジストを１４０ｎｍ乃至２２０ｎｍの厚みで形成するステップと、
レーザーカッティングするステップとを有する方法によって作成される請求項２６記載の方法。
【発明の詳細な説明】
技術分野
本発明は、一般には、情報媒体の再生制御に関し、特に、再生専用領域を有する情報媒体の再生の光学的手段による制御に関する。本発明は、例えば、データを予め格納して当該データの再生のみ許容する再生専用領域（以下、「ＲＯＭ領域」という。）とデータを新たに又は追加的に記録することができる記録可能領域（以下、「ＲＡＭ領域」という。）とが混在した光ディスクの再生制御に好適である。
技術背景
近年、情報化技術の発達により、小型で且つ大容量の情報媒体が多種多様に使用されている。とりわけＣＤ−ＲＯＭおよび音楽ＣＤ（ＣＤ−ＤＡ）は媒体構成が簡単なため生産性に優れ、一枚あたりの生産コストは他の情報媒体に比べて低く、それゆえ配布用の情報媒体として広く用いられている。
しかし、これらの情報媒体は、ＣＤ−Ｒ（コンパクトディスク−レコーダブル）あるいはＣＤ−ＲＷ（コンパクトディスク−リライタブル）等の追記型光記録媒体あるいは書換え型光記録媒体により複製が可能なため海賊版の蔓延を招くことが社会的問題になっている。また、コンピューター等にＣＤに記録されたデータがインストールあるいはコピーされた後にオリジナルのデータの収録されたＣＤ−ＲＯＭが中古市場に出回るなど、著作者の権利が守られていないケースが多々あった。これらの問題を回避するため、専用ＣＤ−ＲＯＭを識別可能な再生機器、シリアルナンバーによる配布ソフトの管理、特殊フォーマットによるコピープロテクト等の対策例があったが、効果は万全ではなかった。また、海賊版や中古ソフト以外にも情報の再生を全部又は一部禁止したい需要がある。
発明の開示
そこで、本発明は、このような従来の課題を解決する新規かつ有用な情報媒体、その製造方法、再生制御方法及び駆動装置を提供することを目的とする。
より特定的には、本発明は、複製されやすいＲＯＭ領域を含む情報媒体の再生を制御する再生制御方法及び駆動装置、かかる情報媒体並びにその製造方法を提供することを例示的目的とする。
上記目的を達成するために、本発明の一側面としての再生制御方法は、射出成形法により形成された凹凸を有して再生されるべき情報が記録される再生専用領域と、当該再生専用領域に積層されて光照射により状態が変化する再生制御層とを有する情報媒体において、前記情報の中で再生が禁止される情報を決定するステップと、前記再生が禁止された情報に対応する前記再生専用領域の位置に前記光照射を行って前記再生制御層を前記情報の再生が可能な再生許容状態から前記情報の再生が不可能な再生禁止状態に変化させるステップとを有する。かかる再生制御方法は、ディスク状及びテープ状記録媒体を含む情報媒体の再生専用領域に記録された情報のうち再生が禁止される任意の情報を選択して、その後、当該情報に対応する位置の再生制御層に光照射を行って情報の再生を（ソフト的にではなく物理的に）禁止する。再生が禁止されるべき情報の決定は、例えば、情報媒体が正当な権限なしに複製されたことを媒体に固有の識別子その他を利用して認証する、いわゆる海賊版の場合に限られない（この場合には再生が禁止されるべき情報は全てになるであろう）。例えば、生産の便宜から複数の情報又は完全な情報を一度に記録するが、購入者が複数の情報の一部（例えば、１０曲分の情報のうち４曲分）のみを支払った場合に支払われなかった情報の再生を順次禁止したり、購入者の年齢その他の条件に応じてその一部（暴力的シーンなど）の再生を禁止したり、宣伝広告用のサンプル版として情報の再生を部分的に禁止したりするなどである。
前記再生制御層は、レーザー光により物理的又は化学的に、望ましくは不可逆的変化を生じる物質を使用する。例えば、再生制御層は、例えば、シアニン系色素、スクアリリウム色素、アズレニウム系色素等のポリメチン系色素、フタロシアニン系色素のような大環状アザアネレン系色素、ジチオール系色素などの光照射により変質する有機色素から構成される。又、再生禁止を行なうためのレーザー光照射により、基板に形成された該凹凸自身が変形をおこして、再生を不可能とすることも可能である。
前記情報媒体は、ディレクトリのファイルに対応した管理情報を記録単位毎に配置し、前記変化ステップは前記管理情報を再生禁止状態に設定する。ディレクトリはファイルを管理する階層構造（又はツリー構造）である。書換え可能な情報媒体においては、特定のファイルを再生禁止にする（例えば、消去する）場合には、当該特定のファイルを消去するように元のディレクトリを自由に書き換えることができる。しかし、ＲＯＭ媒体では書換えができないので、従来はディレクトリ全体の再設定が必要であった。かかる再設定が煩雑であることから、例えば、一部のフォルダ及びファイルの再生が禁止されたディレクトリを複数種類設け、あるファイルの再生が禁止された場合に、それに対応するディレクトリを選択することが考えられる。しかし、これでは用意すべきディレクトリの数が多すぎて効率が悪い。そこで、本請求項は、ツリー構造を残したまま特定の位置のファイルの管理情報を再生禁止にすることによって簡易にファイルを再生制御する方法を提供している。再生制御する単位は、例えば、ブロック又はセクタ（例えば、２０４８バイト）でもよいし、セクタ内の分割された領域であってもよい。後者の場合には、各領域は、例えば、フラグ等の識別子を有し、当該識別子が再生禁止に設定されたかどうかで当該領域の再生を制御することができる。これにより、各セクタの再生制御を効率的に行なうことができる。前記記録単位は誤り訂正符号（ＥＣＣ：Ｅｒｒｏｒ  Ｃｏｒｒｅｃｔｉｎｇ  Ｃｏｄｅ）単位であってもよい。ＥＣＣ単位に一括して消去（再生禁止）することによって、ＥＣＣが再生禁止された情報を復元してしまうのを防止することができる。例えば、各セクタが一のＥＣＣを有すると、セクタ内の分割された領域を再生制御する際にはＥＣＣが働いて再生禁止された情報を復元してしまうおそれがあるため、この場合にはフォーマット及び／又はシステムの変更が必要である。
前記光照射ステップは、前記情報媒体の再生装置を使用してもよい。この場合、再生装置は再生禁止装置を兼ねることができるので便宜である。再生を禁止するにあたっては、ＲＯＭに記録された情報と無相関なランダムパルスを再生禁止層が変化をおこすに足る高パワーで、照射するのが好ましい。しかし、再生を不可能とするに足るレーザー照射であれば、連続・断続など、パターンに制限はない。
前記情報媒体は、情報を新たに又は追加的に記録することができる記録可能領域を更に含み、前記再生制御層は前記記録可能領域にも積層されて当該記録可能領域への記録を可能にする有機色素であってもよい。この場合、記録媒体は、例えば、ＲＯＭ領域とＲＡＭ領域を含むパーシャルＲＯＭディスクとして機能し、製造の便宜上ＲＯＭ領城にも形成されたＲＡＭ領域用の有機色素をＲＯＭ領域用の再生制御層として使用することができる。ＲＯＭ領域用に再生制御層を新たに形成する必要がなく、資源の有効利用を図ることができる。
再生が禁止されるべき情報の決定は、例えば、情報媒体が正当な権限なしに複製されたことを媒体に固有の識別子を利用して認証する。その他、駆動装置に固有の識別子と駆動日時を含む履歴情報を記録可能領域に新たに又は追記的に記録し、その情報を利用して認証することもできる。前記再生が禁止されるべき情報の決定に前記履歴情報を利用する場合、前記記録可能領域を追記型にすることにより、前記履歴情報の不正な改ざんの防止及び記録可能領域の残容量を利用した再生専用領域の制御などセキュリティーを向上することができる。上記再生制御方法の利用先としては、例えば、海賊板の再生禁止（再生が禁止されるべき情報は全てになるであろう）、生産の便宜から複数の情報又は完全な情報を一度に記録するが、購入者が複数の情報の一部（例えば、１０曲分の情報のうち４曲分）のみを支払った場合に支払われなかった情報の再生を順次禁止したり、購入者の年齢その他の条件に応じてその一部（暴力的シーンなど）の再生を禁止したり、宣伝広告用のサンプル版として情報の再生を部分的に禁止したり、一定時間のみ有効な情報の再生を当該期間の経過後に禁止する場合がある。また、各種ソフトウェア（例えば、文章作成、ゲーム、画像、サウンド、ビジネス、学習用、ユーティリティ）のインストール及び再生の回数制限を設けることができる。
本発明の一側面としての駆動装置は、再生されるべき情報が記録された再生専用領域と、当該再生専用領域に積層されて光照射により状態が変化する再生制御層とを有する情報媒体を駆動する駆動装置であって、前記情報を再生する再生部と、前記再生専用領域の所定位置に前記光照射を行って前記再生制御層を前記情報の再生が可能な再生許容状態から前記情報の再生が不可能な再生禁止状態に変化させて前記所定位置に対応する情報の再生を禁止する光照射部とを有する。かかる駆動装置は、再生装置として機能するだけでなく再生禁止装置としても機能する。
前記情報媒体は、情報を新たに又は追加的に記録することができる記録可能領域を更に含み、前記再生制御層は前記記録可能領域にも積層されて当該記録可能領域への記録を可能にする有機色素であり、前記駆動装置は、前記記録可能領域へ情報を記録する記録部を更に有してもよい。この場合、駆動装置は更に記録装置としても機能する。前記再生専用領域からの再生信号と、前記記録可能領域で記録された情報の再生信号のそれぞれの反射強度レベルを検出する検出部と、前記検出部の判断に基づいて前記情報媒体が前記再生制御層を有するかどうかを判断する判断部とを有してもよい。これにより、駆動装置は、情報媒体が再生制御層を有する正規品か有しない海賊版かを識別することができるので、例えば、再生専用領域の再生を制限するなどによって、セキュリティを向上することができる。また、上述の再生制御方法の決定ステップが上述の履歴情報を利用する場合には、駆動装置は、自身固有の識別子を記録するメモリ、駆動日時を履歴情報に含めるためのタイマを更に有する。更に、駆動装置は、通信（例えば、無線、有線）により駆動装置外に在るタイマとの時間の参照機能又は時間の校正機能を有してもよい．これにより、日時の不正変更を防止し、前記履歴情報を利用した再生制御方式のセキュリティを向上できる。
本発明の一側面としての情報媒体は、射出成形法により形成された凹凸ピットから形成され、再生されるべき情報が記録される再生専用領域と、情報を新たに又は追加的に記録することができる記録可能領域と、有機色素により形成されると共に前記再生専用領域及び前記記録可能領域に積層され、光照射により、前記再生専用領域の再生又は前記記録可能領域の記録再生を許容する許容状態から前記再生専用領域の再生又は前記記録可能領域の記録再生を禁止する禁止状態に変化する再生制御層とを有し、前記再生専用領域及び前記記録可能領域は、フォトレジストを用いたマスタリングプロセスにより作成された単一のスタンパにより製造される。従来は前記再生専用領域及び前記記録可能領域の深さを変える必要があったのに対して、単一のスタンパを使用して製造を容易にしている。
前記記録可能領域は案内溝を有し、当該案内溝の溝幅は、前記再生専用領域の凹凸ピットの幅よりも広いことが好ましい。これにより、マージンを広くすることができる。前記記録可能領域は案内溝を有し、前記有機色素は、前記再生専用領域の前記凹凸ピット及び前記記録可能領域の前記案内溝の底部に９０ｎｍ以上の厚さを有することが好ましい。９０ｎｍ未満の場合には再生制御ができなくなるおそれが高いからである。また、９０ｎｍ未満の場合には追記機能もなくなる。なお、厚さの上限は、有機色素の種類に依存し、例えば、２３０ｎｍ以下などとなる。
前記再生制御層の再生レーザー光波長に対する屈折率（又は光学定数）ｎは、例えば、１．９以上である。これにより、所望の信号特性を確保することができる。従って、屈折率が約１．８であるＣＤ−Ｒ色素以外の有機色素も適用することができる。
前記スタンパは、例えば、前記フォトレジストを１３０ｎｍ乃至２３０ｎｍの厚みで形成するステップと、レーザーカッティングするステップとを有する方法によって作成される。フォトレジストの厚みがこの範囲を越えると記録が困難になる。スタンパは、情報媒体の電気特性が確保することができる範囲でほぼ均一な深さを持っており、例えば、凹凸ピットの±１０％程度のばらつき（例えば、±約１０ｎｍ）の範囲内であればほぼ均一な深さを有するとみなすことができる。
前記再生専用領域は（前記凹凸ピット以外の）フラット部を更に有し、前記再生制御層は、前記凹凸ピットの底部と前記フラット部との再生レーザー光の波長に対する光学的干渉の有無によって生ずる信号が、最大反射強度に対する信号振幅の変調度にして３５％〜６０％であることが好ましい。
本発明の別の側面としての情報媒体の製造方法は、再生されるべき情報が記録される再生専用領域を射出成形法により形成された凹凸ピットから形成するステップと、情報を新たに又は追加的に記録することができる記録可能領域を形成するステップと、有機色素により形成されると共に前記再生専用領域及び前記記録可能領域に積層され、光照射により、前記再生専用領域の再生又は前記記録可能領域の記録再生を許容する許容状態から前記再生専用領域の再生又は前記記録可能領域の記録再生を禁止する禁止状態に変化する再生制御層を有機色素により形成するステップとを有し、前記再生専用領域及び前記記録可能領域の形成ステップは、フォトレジストを用いたマスタリングプロセスにより作成された単一のスタンパにより製造される。
前記スタンパは、例えば、前記フォトレジストを１４０ｎｍ乃至２２０ｎｍの厚みで形成するステップと、レーザーカッティングするステップとを有する方法によって作成される。フォトレジストの厚みがこの範囲を越えると生産性が悪くなったり、生産される情報媒体の記録再生特性が著しく劣ることになる。スタンパは、情報媒体の電気特性が確保することができる範囲でほぼ均一な深さを持っており、例えば、凹凸ピットの±１０％程度のばらつき（例えば、±約１０ｎｍ）の範囲内であればほぼ均一な深さを有するとみなすことができる。
本発明の他の目的と更なる特徴は、以下、添付図面を参照して説明される実施例において明らかになるであろう。
発明を実施するための最良の形態
以下、添付画面を参照して、本発明の一側面としての再生制御方法及び駆動装置３００について説明する。本発明を適用可能な情報媒体は、ディスク状記録担体、テープ状記録担体、その他の記録担体を広く含み、再生方法も光、磁気、その他の方式を広く含む。
例えば、本発明を適用可能な情報媒体は、第１図に示すように、基板１１０と、再生制御層１２０とを有する光ディスク１００から構成される。ここで、第１図は、光ディスク１００の概略側面図である。
基板１１０は、アクリル、ポリカーボネート、ポリメチンメタクリレート、ポリメチルペンテン、ポリオレフィン、エポキシ等の透明樹脂基板材料からなる。また、ガラスなどの透明セラミック板の片面に光硬化性樹脂のレプリカ層を形成したものを基板１１０として使用してもよい。基板１１０は、プリフォーマット信号がピットの形で形成されたスタンパ等を用いて射出成形されて、再生専用領域（ＲＯＭ領域）１１２がその表面に形成されている。ＲＯＭ領域１１２には、予め再生されるデータが記録されている。
再生制御層１２０は、光照射その他のエネルギーを受けると温度が上昇して状態が変化する材料から構成される。本実施形態では、初期状態では、再生制御層１２０は、ＲＯＭ領域１１２に記録されているデータの再生（即ち、読み出し）を可能にする再生許容状態にあり、所定パワーの光が照射されるとＲＯＭ領域１１２に記録されているデータの再生を不可能にする再生禁止状態に変化する。
再生制御層１２０は、例えば、レーザー光により物理的又は化学的に変化、好ましくは、不可逆的変化、を生じる材料を使用する。かかる材料としては、例えば、シアニン系色素、スクアリリウム色素、アズレニウム系色素等のポリメチン系色素、フタロシアニン系色素のような大環状アザアネレン系色素、ジチオール系色素などの光照射により変質する有機物、又は、非晶質−晶質相変化膜、若しくは、スズ／銀／銅合金等の低融点合金などが挙げられる。また、かかる材料は、これらの有機・無機材質を１又は２種以上の混合してもよい。
再生制御層１２０が薄過ぎたり、存在しなかったりする場合はいかなる条件においても再生制御及び追記機能を有せず最適な厚さを有する。例えば再生制御層に有機色素を用いた場合、その条件としてピット最深部における再生制御層１２０の厚みが９０ｎｍ以上であることが望ましい。また、再生制御層１２０の厚みが９０ｎｍ以上であっても再生制御層１２０の光学定数（又は屈折率）が小さいと、満足なＲＯＭ領域の信号が得られないことから、再生制御層１２０の光学定数は１．９以上であることが望ましい。更に、再生制御層１２０は、再生専用領域１１２における凹凸部の底部と、凹凸部以外のフラット部との再生レーザー波長（λ）に対する光学的干渉の有無によって生ずる信号が、最大反射強度Ｉｔｏｐに対する信号振幅の変調度にして３５％〜６０％であることが好ましい。これにより、ＲＯＭ領域の信号振幅が得られ、同時にＲＯＭの再生制御およびＲＡＭの追記機能を両立が可能である。
必要があれば、光ディスク１００は、Ａｌ反射膜１３０を積層して第２図に示す光ディスク１００Ａに置換されてもよい。従来のＣＤ−ＲＯＭは、主として、基板１１０とアルミニウム（Ａｌ）反射膜１３０から構成されるが、本発明に適用可能な光ディスク１００Ａは再生制御層１２０を有している点で従来のＣＤ−ＲＯＭと相違する。
第１図及び第２図に示す光ディスク１００及び１００Ａの所定位置に再生制御層１２０の状態変化をもたらすのに十分なパワーで光を照射すると再生制御層１２０が再生禁止状態に変化し、所定位置に対応した情報の読み出しが不可能になる。再生禁止のレーザー光は、ＲＯＭ情報と無相関のランダムなパルス状に照射し、そのパルス密度は、ＲＯＭ情報が、再生不可能となるに十分高い密度で照射する。エラー訂正能力以上に破壊することが必要である。そのためにはＲＯＭデータのビットエラーレートが、１０−３〜１０−４より悪くなるよう破壊することが必要であり、１０−１〜１０−２まで破壊することが好適である。
本発明は、再生専用領城１１２を含む光ディスク１００のファイル又はフォルダ（以下、単に「ファイル」という。）管理方法も提供する。いま、光ディスク１００のディレクトリが第１６図Ａのようであるものとする。同図に示すように、ディレクトリはルートディレクトリ２の下に複数のサブディレクトリ４乃至２０を有し、ファイルを管理するための階層構造（又はツリー構造）を採っている。
本発明の一実施形態のディレクトリは、ファイルに対応した管理情報を記録単位毎に配置しており、具体的には、サブディレクトリ４乃至２０に管理情報を設けている。そして、かかる実施形態は、管理情報に対応する再生制御層１２０を再生禁止状態に設定することによってファイル管理を行っている。
光磁気（ＭＯ）ディスクなど、書換え可能な情報媒体においては、特定のファイルを再生禁止にしたい（例えば、消去したい）場合には、当該特定のファイルを消去するように元のディレクトリを自由に書き換えることができる。しかし、ＲＯＭ媒体では書換えができないので、従来はディレクトリ全体の再設定が必要であった。かかる再設定が煩雑であることから、例えば、一部のフォルダ及びファイルの再生が禁止されたディレクトリを複数種類設け、あるファイルの再生が禁止された場合に、それに対応するディレクトリを選択することが考えられる。しかし、これでは用意すべきディレクトリの数が多すぎて効率が悪い。
そこで、本実施形態は、ツリー構造を残したまま特定の位置のファイルの管理情報を再生禁止にすることによって簡易にファイルを再生制御する方法を提供している。具体的には、例えば、サブディレクトリ（又はファイル）１０及び１４の管理情報に相当する再生制御層１２０を再生禁止状態に設定する。再生制御する記録単位は、例えば、ブロック又はセクタである。
再生制御される記録単位は誤り訂正符号（ＥＣＣ：Ｅｒｒｏｒ  Ｃｏｒｒｅｃｔｉｎｇ  Ｃｏｄｅ）単位であることが好ましい。ＥＣＣ単位に一括して消去（再生禁止）することによって、ＥＣＣが再生禁止された情報を復元してしまうのを防止することができる。
セクタは、例えば、ＣＤ−ＲＯＭであれば２０４８バイトの大きな容量を有するために、より小さな記録単位を選択することも可能である。例えば、第１６図Ｂに示すように、セクタ内の分割された領域３０乃至５０を再生制御する記録単位としてもよい。この場合は、各領域は、例えば、フラグ等の識別子３２、４２及び５２をデータ等の領域３４、４４及び５４の前を有し、当該識別子３２、４２及び５２が再生禁止に設定されたかどうかで当該領域の再生を制御することができる。これにより、各セクタの再生制御を効率的に行うことができる。なお、第１６図Ｂに示すセクタが一のＥＣＣを有すると、セクタ内の分割された領域を再生制御する際にはＥＣＣが働いて再生禁止された情報を復元してしまうおそれがある。このため、第１６図Ｂに示す構造では、領域３０乃至５０がＥＣＣを有するなどフォーマット及び／又はシステムの変更が必要である。
本発明は、その他、ＲＯＭデータ領域全面を再生禁止処理しない方法もカバーしている。例えば、ＲＯＭの主データを作成時に分断して、シャッフルされた状態でディスクに記録する物理フォーマットで記録しておく。そして、そのシャッフルされた並びの順を特定領域にやはりＲＯＭとして記録しておく。再生を禁止する際には、この特定領域のみ破壊すれば、実質的に主データの再生は不可能とできる。なお、光ディスク１００及び１００Ａの動作は後で更に説明する。
なお、光ディスク１００は、基板１１０に、更に、第一中間層、再生制御層、第二中間層及び保護層を積層することができるが、第一中間層、第二中間層、保護層を設けるかどうかは選択的である。また、２枚の光ディスク１００を、ＤＶＤ規格のように、接着層を介して張り合わせてもよい。また、光ディスク１００の裏面にＲＡＭ領域を有するディスクを接着層を介して張り合わせてもよい。更に、記録再生レーザーの入射面上にヘッドとの接触によるダメージを低減させるための潤滑層を設けること、あるいはその反対側の面に下層の保護、装飾のための印刷を施すことも本発明の主旨を妨げるものではない。
第一及び第二中間層は、反射率特性を向上させるための反射層、レーザー光あるいは記録層の分解により発生する熱の放熱を促すための熱拡散層、記録層の反応を促進させる為もしくは記録層の光励起によって反応が促進される第２記録層、外的応力から記録層を隔てるための硬質層、スペーサー等により設けられたエアーグルーブ層を含む。保護層は、紫外線硬化樹脂、熱硬化性樹脂、２液混合硬化樹脂、室温硬化型樹脂などの有機材料を前記中間層上に、例えばスクリーン印刷によって形成することができる。
次に、第３図及び第４図を参照して、本発明に適用可能な別の情報媒体としての、ＲＯＭ領域とＲＡＭ領域とが混在した光ディスク（パーシャルＲＯＭ型の光ディスク）２００及び２００Ａについて説明する。光ディスク２００及び２００ＡはＲＡＭ領域の記録動作に必要な有機色素層が製造工程を容易にするためにＲＯＭ領域上にも形成される場合に、それをＲＯＭ領域の再生制御層として積極的に利用するという特徴を有する。なお、パーシャルＲＯＭ型ディスクは、ＩＳＯ規格に規定されている光磁気ディスクのように、プリピットが形成された再生専用領域とアドレス情報ピットとサーボ用グルーブのみで形成されたデータ記録領域が同一基板上にあるディスクや、ＤＶＤ−ＲＡＭのように内周部にディスク全体の管理情報等を格納するＲＯＭ領域を有し、外周部にＲＡＭ領域を形成するタイプを含む。
第３図に光ディスク２００の概略平面図を、第４図に光ディスク２００の概略断面図を示す。第３図に示すように、光ディスク２００は、例えば、直径を１２０ｍｍとし、中心孔２１０と、内周部２２０と、外周部２３０と、内周部２２０と外周部２３０との間に配置された緩衝領域２４０とを有する。内周部２２０はディスク２００の中心から６０ｍｍまでが割り当てられ、外周部２３０は緩衝領域２４０から１２０ｍｍまでが割り当てられている。また、第４図に示すように、光ディスク２００は、基板２０２に再生制御層２５０が積層された構造を有する。
内周部２２０には、中心孔２１０を中心に渦巻き（スパイラル）状に記録トラック２２２が形成されている。外周部２３０には、記録トラック２２２とは逆方向に渦巻き状に記録トラック２３２が形成されている。光ディスク２００が時計方向に回転すると記録トラック２２２の記録位置（即ち、後述する光ディスク１００を駆動する駆動装置４００のヘッド４１０）は外周側に移動し、記録トラック２２２とは逆スパイラルの関係にある記録トラック２３２の記録位置は内周側に記録位置を移動することが理解できる。
このように光ディスク２００は内周側からは外側へ、外周側からは内側へ記録していく構造であるため記録領域を完全に区別しており独立したアドレス番号を付与できる利点がある。本実施形態の光ディスク２００は、内周部２２０を追記型又は書換え可能型の記録領域（ＲＡＭ領域）に、外周部２３０を再生専用（即ち、書換え不能）領域（ＲＯＭ領域）に割り当てている。
本発明はＲＯＭ領域とＲＡＭ領域とを１本のスパイラルトラックにより構成して連続したアドレスを割り当てた光ディスクにも適用することができる。しかし、かかる光ディスクは、ＲＯＭデータの長さに応じてＲＡＭ領域のアドレスが変化するために記録動作を制御する上でＲＯＭデータの長さを計算しつつＲＡＭ領域のアドレス計算しなければならず、また、交替情報等を含むディスクの管理領域が不都合にも定まらなくなり、記録再生動作が不安定になる。これに対して、ＲＡＭ領域２２０及びＲＯＭ領域２３０は独立に作成及びアドレス付けされるので、ＲＡＭ領域２２０の位置はＲＯＭ領域２３０とは独立に固定され、安定した交替管理等を実行することができ、記録再生動作が安定する。
ＲＡＭ領域２２０はユーザがフォーマットを行い、ＲＯＭ領域２３０は光ディスク２００のメーカーがフォーマットを行うように構成されている。これによって、ＲＯＭ領域２３０に記録されたデータをユーザが不当にコピーする危険性が大幅に低減する。
例えば、内周部２２０をＤＶＤ−ＲＷとする場合、リードインデータ、アドレス、トラックサーボ用グルーブ等のＤＶＤ−ＲＷフォーマットを形成した外径１２０ｍｍ、内径４０ｍｍ、厚さ０．６ｍｍディスク状ポリカーボネート樹脂（以下ＰＣと略す）基板２０２を成形する。次いで、ＰＣ基板２０２の信号面にスパッタ法により直径４０ｍｍから直径７８ｍｍまで透明誘電体層（図示せず）、相変化記録層（再生制御層２５０）、透明誘電体層（図示せず）、Ａｌ合金系反射層（図示せず）を順次積層することによって記録膜を形成する。このように、本実施形態の再生制御層２５０はＲＯＭ領域２３０に対しては再生制御層として機能するが、ＲＡＭ領域に対しては相変化記録層として機能する。再生制御層（又は相変化記録層）は内周部２２０と外周部２３０の両方で使用されるので、基板２０２の全面に積層されることができ、製造上便宜であると共に資源の有効利用にも優れている。
次に、かかる反射層上にスピンコート法により約１０μｍの厚みで紫外線硬化型（以下ＵＶと略す）保護樹脂を塗布し、紫外線照射により硬化せしめ、ＵＶ保護膜層を形成する。なお、直径８０ｍｍから直径１２０ｍｍまではスパッタ時にマスクされて外周部１３０を形成する。
内周部２２０をＤＶＤ−Ｒとする場合、リードインデータ、ユーザデータ記録領域、リードアウトデータのＤＶＤ−Ｒフォーマットを形成した外径１２０ｍｍ、内径１０ｍｍ、厚さ０．６ｍｍのＰＣ基板２０２を成形する。次いで、ＰＣ基板２０２の信号面に色素溶液をスピンコート法により塗布し、乾燥させた記録層（再生制御層２５０）の上にスパッタ法により直径４０ｍｍから直径７８ｍｍまで金（Ａｕ）反射層（図示せず）を順次積層することによって記録膜を形成する。次に、かかる反射層上にスピンコート法により約１０μｍの厚みでＵＶ保護樹脂を塗布し、紫外線照射により硬化せしめ、ＵＶ保護膜層を形成する。なお、直径８０ｍｍから直径１２０ｍｍまではスピンコート時にマスクされて後述の外周部を形成する。この例でも同様に、再生制御層２５０はＲＯＭ領域２３０に対しては再生制御層として機能し、ＲＡＭ領域に対しては記録層として機能する。
内周部２２０をＤＶＤ−ＲＡＭとする場合、リードインデータ、アドレス、トラックサーボ用グルーブ等のＤＶＤ−ＲＡＭフォーマットを形成した外径１２０ｍｍ、内径１０ｍｍ、厚さ０．６ｍｍのディスク状ＰＣ基板２０２を成形する。次いで、ＰＣ基板２０２の信号面にスパッタ法により直径４０ｍｍから直径７８ｍｍまで透明誘電体層（図示せず）、相変化記録層（再生制御層２５０）、透明誘電体層（図示せず）、Ａｌ合金系反射層（図示せず）を順次積層することによって記録膜を形成する。その後、かかる反射層上にスピンコート法により約１０μｍの厚みでＵＶ保護樹脂を塗布し、紫外線照射により硬化せしめ、ＵＶ保護膜層（図示せず）を形成する。なお、直径８０ｍｍから直径１２０ｍｍまではスパッタ時にマスクされて後述の外周部を形成する。もちろん、内周部２２０はＣＤ−ＲやＣＤ−ＲＷなどの構造でもよい。この例でも同様に、再生制御層２５０はＲＯＭ領域２３０に対しては再生制御層として機能し、ＲＡＭ領域に対しては記録層として機能する。
外周部２３０をＤＶＤ−ＲＯＭとする場合、リードインデータ、ユーザデータ領域、リードアウトデータのＤＶＤ−ＲＯＭフォーマットを上述のいずれかの内周部を有する外周部に形成する。次いで、ＰＣ基板２０２の信号面上に、既に形成された再生制御層２５０を介して、スパッタ法により直径８２ｍｍから直径１１９ｍｍまでＡｌ反射層（図示せず）を反射率が４５％乃至５０％の範囲になるように積層する。その後、かかる反射層上にスピンコート法により約１０μｍの厚みでＵＶ保護樹脂を塗布し、紫外線照射により硬化せしめ、ＵＶ保護膜層（図示せず）を形成する。もちろん、外周部２３０は、音楽ＣＤ、ＣＤ−ＲＯＭ、ＤＶＤビデオ等でもよい。
内周部２２０と外周部２３０のそれぞれには広く異なる構造の記録領域が割り当てられればよい。異なる構造の記録領域は、ＣＤ−Ｒ、ＤＶＤ−Ｒ、音楽ＣＤ、ＣＤ−ＲＯＭ、ＤＶＤ−ＲＯＭ、ＤＶＤビデオからなるグループから任意に選択可能であるがこれに限定されるものではない。
これらの任意の組合せも記録領域の異なる利点として混在が可能であり、例えば、ＲＯＭ領域２３０としてＤＶＤ−ＲＯＭフォーマットによる記録を行いＲＡＭ領域２２０としてＣＤ−Ｒ記録を行うことも可能になる。外周部２３０に記録するフォーマットは内周部２２０とは異なるフォーマットになるため、ＣＤ系やＤＶＤ系にしてもリードイン部の配置等に互換性のあるフォーマットではないことに注意しなければならない。スタート位置を指定してある各種フォーマットに対し、そのスタート位置を外周部に設定する必要があるためである。しかしながらこうした点に配慮した記録、ＲＯＭの場合はマスタリングを実行することによりＲＡＭ領域２２０、ＲＯＭ領域２３０が混在しながらも独自のアドレス付加による共用ディスクの作成が可能になる。
ＤＶＤ−Ｒ、ＤＶＤ−ＲＷ、ＤＶＤ−ＲＡＭ及びＤＶＤ−ＲＯＭを組み合わせるとフォーマット及び変復調方式が共通であるため従来の駆動装置（ドライブ）に対する変更が少ない。特に、内周部２２０をＲＡＭ領域にすると、従前のドライブでの記録が可能な構成にすることができる。
緩衝領域２４０は、ＲＡＭ領域２２０とＲＯＭ領域２３０の境界部に設けられ、スパイラル方向の異なる記録トラック２２２及び２３２はここで閉じる。緩衝領域２４０はクロストークの発生を防止するのに十分な範囲で設定され、少なくとも双方の記録領域のトラックピッチの大きい方の２倍以上に設定することが好ましい。
緩衝領域２４０としては使用上定義できない領域であり、何も記録されないミラー部が望ましく、記録トラック２２２及び２３２が交差してしまった場合でもその領域は使用できない。従って、ミラー部以外の構成でも緩衝領域２４０として機能する。
記録不能領域をミラー面にして記録トラック２２２及び２３２をミラー面の手前まで形成することもできるが、この場合は、ヘッドの正確な位置決めが必要となる。そこで、両トラックを交差することによって記録不能領域を形成することによって製造が容易になる。
本実施例の光ディスク２００は、ドライブのスピンドルモータの回転方向は一定であるため従来のドライブの設計変更量が少なくて済むという長所を有する。
代替的に、ドライブのスピンドルモータの回転を反転させることにより、ディスク２００面上のトラック配置をより簡単にすることもできる。この場合、記録領域は内周から外周に至るまで同一方向へのスパイラル記録トラックを有するが、外周部の記録に際しては逆回転することにより、記録方向は外周から内周へと反転する。つまり同一スパイラルであっても外周部では逆回転することにより逆スパイラルで記録したのと同じ記録を実施することになる。かかる光ディスクの概略平面図を第５図に示す。第５図において、第３図と同一の参照符号に大文字のアルファベットを付したものはアルファベットのない参照符号に対応するため、重複説明は省略する。ここで内周側記録トラック２２２Ａと外周側記録トラック２３２Ａは同一スパイラル方向である。同一方向スパイラルであっても外周部２３０Ａでは外周側から記録アドレス番地は付与しなければならないので、緩衝領域２４０Ａは存在する。
第５図に示す光ディスク２００Ａにも再生制御層は存在するが、光ディスク２００Ａの断面図は第４図と同様であるので図示は省略する。即ち、光ディスク２００Ａにおいても、再生制御層２５０はＲＯＭ領域２３０に対しては再生制御層として機能し、ＲＡＭ領域に対しては記録層として機能する。
光ディスク２００Ａのようにスピンドルモータを反転させることは、同一面上でＲＯＭ領域とＲＡＭ領域とが混在しないように容易に識別することができる。ＲＡＭモードとＲＯＭモードでドライブの動作を切り替えることにより、スピンドルモータの回転方向を逆転する。ＲＯＭ領域へは常時アクセスすることが少ないので、アクセスしない場合はスリープモードに入ってスピンドルモータは回転を停止して省電源化を図ってもよい。このようにＲＯＭ領域へのアクセスとＲＡＭ領域へのアクセスを時間的に隔離すると、ＲＡＭ領域のアドレス番号付加とＲＯＭ領城のアドレス番号付加は相互に無関係に実施できるため、ＲＯＭ単独あるいはＲＡＭ単独の記録再生システムとの相性が良くなる。スピンドルモータを反転すると外周側では外周側からアドレス番号を付加していき、内周側へ進むに従いアドレス番号は増えていくようにすることができる。これは従来の内周側から記録していたＲＯＭディスクの再生と全く同様であり、違うのはスタート位置とスピンドルモータが従来のＲＯＭと回転方向が逆になっている点である。一方、ＲＡＭ領域は、例えば、ＣＤ−Ｒの記録のように内周部からリードイン領域とデータ記録領域を構築していくことになる。これは全く通常のＣＤ−Ｒと同じであり、マルチセッション等の従来の追加記録システムにも対応が可能である。この時の記録は、通常のＣＤ−Ｒ駆動装置の対応と全く同等に扱える。
以上説明したＲＯＭ領域とＲＡＭ領域の配置は逆にすることも可能であり、この時はＲＯＭ領域が通常の規定フォーマット構成であり、ＲＡＭは外周側から記録していくことになる。ＲＯＭ領域とＲＡＭ領域の境界部はＲＯＭ領域の記録するデータ量により決定され、内周側から延びる記録領域と外周側から伸びる記録領域の接するところまでが記録領域として使用できる。
本発明による情報媒体および駆動装置を用いたアプリケーション例として様々な例が考えられる。例えばコンピュータープログラムの配布媒体として用い、不正使用されたとき情報を消去する機構を発動させ、不正使用の蔓延を防ぐ。例えば、ＲＯＭにより配布されたコンピュータープログラムあるいは音楽あるいは映像等のソフトの使用を、インターネット等の通信手段により許可しＲＡＭ領域に履歴を記録し管理する手段として用いる。例えば個別のＩＤを有した媒体と追記機能を組み合わせることにより、ユーザの配布媒体の使用状況を管理する。例えば本発明による情報媒体をチケットの代わりに用い、使用後は写真あるいは動画等が記録された記念品として保管する。例えば、出版等の紙媒体に変わる配布媒体として用いる。例えば等の応用例が挙げられるが、本発明による応用例は決して上記に限定されるものではない。
（実施例）
以下、本発明の実施例を第６図〜第１５図を参照して説明する。本実施例では、再生制御層がシアニン系色素及び劣化抑制剤からなる光ディスクを作製し、駆動装置４００でデータが読み取り可能かを確認した後に、高パワーレーザーで任意領域のみの再生制御層を変質させ、その後再読み取りが可能かを確認した。また、同一媒体上に記録領域を設け、レーザーによる記録を試みた。更に、加速環境試験後においても消去の効果が続くのかを確認した。
（実施例１）
ポリカーボネート樹脂を射出成形して、フォーマットパターンが形成され且つ中心部に直径１５ｍｍの中心孔を有する、直径１２０ｍｍのディスク上の透明基板３１０を作製した。得られた基板３１０の平面構造の概要は第４図と同様であった。半径２４ｍｍから半径５０ｍｍにかけてＥＦＭ信号のピット列（フォーマットパターン）３１２が形成されている。ピットの深さ５２０が１６０ｎｍ、ピットの幅５１０が３７０ｎｍとなるよう基板成形し、ピット列３１２は中心孔と同心円の渦巻き状もしくは同心円状に形成した。
また、このピット列３１２をウォブルにしてもよく、それによってセクタのアドレスや基準クロックおよび媒体種類の情報をこのウォブルから検出することも可能である。
半径５０ｍｍから５８ｍｍにかけて記録用のレーザービームを追従させるための幅５００ｎｍの案内溝３１４（図示せず）を中心孔と同心円の渦巻き状又は同心円状に形成した。案内溝３１４もまた、ウォブル溝としてもよく、それによって各種の情報をこのウォブル溝から検出することもできる。本実施例においてはウォブル溝を採用した。
次に、ポリカーボネート基板３１０上に再生制御層３２０を形成した。以下の化学式１で与えられるシアニン系色素１９重量部と以下の化学式２で与えられる劣化抑制剤１重量部を高温の４−ヒドロキシ−４−メチル−２−ペンタノンおよび１、１、５−オクタフルオロ−１−ペンタノールの混合溶媒９８０重量部に溶解した。得られた溶液を０．４５μｍのフィルターでろ過した。ろ液をポリカーボネート基板３１０上にスピンコート法を用いて塗布し、再生制御層３２０の膜厚５４０が１３０ｎｍとなるよう色素の層（ピット最深部）を形成した。作成された色素層の光学定数ｎを測定したところｎ＝２．１０であった。コートした色素を高温環境で乾燥した後、色素上にスパッタリング装置を用いてＡｇ／Ａｕ合金からなる中間層３３０を５０ｎｍで成膜した。中間層３３０を成膜した後に基板３１０についた色素をアルコールにより洗浄し、最後に紫外線硬化樹脂をスクリーン印刷により塗布し、膜厚１０μｍの保護層３４０を形成した。
こうして得られた情報媒体３００の部分断面図を第６図に示す。同図に示すように、光ディスク４００は、ポリカーボネート基板３１０上に再生制御層３２０及びＡｇ／Ａｕ合金からなる中間層３３０及び紫外線硬化樹脂保護層３４０が順次積層された構造を有する。
2002082434.tif 000003
2002082434.tif 000004
（実施例２）
実施例２では、実施例１とは異なり、スパッタリング工程以降のプロセスを排除し、ポリカーボネート基板３１０と再生制御層３２０のみの積層構造で構成されるパーシャルＲＯＭ型の光ディスク３００Ａを作製した。その他は実施例１と同様の材料及び方法で第７図に示す構造の光ディスク３００Ｂを作製した。
（実施例３）
実施例３では、実施例２に加えて再生制御層３２０に親水性高分子による保護層３４０を設け、ポリカーボネート基板３１０と再生制御層３２０及び保護層３４０で構成されるパーシャルＲＯＭ型の光ディスク３００Ｂを作製した。積層方法は基板３１０上にスピンコート法を用いて塗布し、再生制御層３２０を形成し、高温環境で乾燥した後に、架橋剤を２％加えたポリビニルアルコールをスピンコート塗布し、乾燥した。その後、紫外線を照射することにより、親水性高分子からなる保護層３４０を結晶化し耐水および耐湿性に変質させた。その他は実施例２と同様の材料および方法で作製し、第８図に示すような光ディスク３００Ｂを得た。
（実施例４）
実施例４では、実施例３に加えてポリカーボネート基板３１０と再生制御層３２０の間に無機材料からなる薄膜の中間層３５０を設け、ポリカーボネート基板３１０、無機中間層３５０と再生制御層３２０及び保護層３４０から構成されるパーシャルＲＯＭ型の光ディスク３００Ｃを作製した。本実施例では、ポリカーボネート基板３１０上にスパッタリング装置を用いてＡｕからなる中間層３３０を１０ｎｍの厚さで成膜した。その他は実施例３と同様の材料及び方法で作製し、第９図に示す光ディスク３００Ｃを得た。
（実施例５）
実施例１と同様にして作製されたポリカーボネート基板３１０上に以下の化学式３で与えられるシアニン系色素１９重量部と以下の化学式２で与えられる劣化抑制剤１重量部を高温の４−ヒドロキシ−４−メチル−２−ペンタノンおよび１、１、５−オクタフルオロ−１−ペンタノールの混合溶媒９８０重量部に溶解した。得られた溶液を０．４５μｍのフィルターでろ過した。ろ液をポリカーボネート基板３１０上にスピンコート法を用いて塗布し、再生制御層の膜厚５４０が１３０ｎｍとなるよう、色素の層（ピット最深部）を形成した。作成された色素層の光学定数ｎを測定したところｎ＝２．０５であった。その他は実施例１と同様の材料及び方法で第７図に示す構造の光ディスク３００Ｂを作製した。
2002082434.tif 000005
（実施例６）
実施例１と同様にして作製されたポリカーボネート基板３１０上に以下の化学式４で与えられるシアニン系色素１９重量部と以下の化学式２で与えられる劣化抑制剤１重量部を高温の４−ヒドロキシ−４−メチル−２−ペンタノンおよび１、１、５−オクタフルオロ−１−ペンタノールの混合溶媒９８０重量部に溶解した。得られた溶液を０．４５μｍのフィルターでろ過した。ろ液をポリカーボネート基板３１０上にスピンコート法を用いて塗布し、再生制御層の膜厚５４０が１５０ｎｍとなるよう、色素の層（ピット最深部）を形成した。作成された色素層の光学定数ｎを測定したところｎ＝２．０５であった。その他は実施例１と同様の材料及び方法で第７図に示す構造の光ディスク３００Ｂを作製した。
2002082434.tif 000006
2002082434.tif 000007
（実施例７）
実施例１と同様にして作製されたポリカーボネート基板３１０上に以下の化学式５で与えられるシアニン系色素１９重量部と以下の化学式２で与えられる劣化抑制剤１重量部を高温の４−ヒドロキシ−４−メチル−２−ペンタノンおよび１、１、５−オクタフルオロ−１−ペンタノールの混合溶媒９８０重量部に溶解した。得られた溶液を０．４５μｍのフィルターでろ過した。ろ液をポリカーボネート基板３１０上にスピンコート法を用いて塗布し、再生制御層の膜厚５４０が１２０ｎｍとなるよう、色素の層（ピット最深部）を形成した。作成された色素層の光学定数ｎを測定したところｎ＝２．１５であった。その他は実施例１と同様の材料及び方法で第７図に示す構造の光ディスク３００Ｂを作製した。
2002082434.tif 000008
2002082434.tif 000009
（実施例８）
実施例１と同様にして作製されたポリカーボネート基板３１０上に以下の化学式６で与えられるシアニン系色素１９重量部と以下の化学式２で与えられる劣化抑制剤１重量部を高温の４−ヒドロキシ−４−メチル−２−ペンタノンおよび１、１、５−オクタフルオロ−１−ペンタノールの混合溶媒９８０重量部に溶解した。得られた溶液を０．４５μｍのフィルターでろ過した。ろ液をポリカーボネート基板３１０上にスピンコート法を用いて塗布し、再生制御層の膜厚５４０が１３０ｎｍとなるよう、色素の層（ピット最深部）を形成した。作成された色素層の光学定数ｎを測定したところｎ＝２．１５であった。その他は実施例１と同様の材料及び方法で第７図に示す構造の光ディスク３００Ｂを作製した。
2002082434.tif 000010
2002082434.tif 000011
（実施例９）
実施例１と同様にして作製されたポリカーボネート基板３１０上に以下の化学式７で与えられるシアニン系色素１９重量部と以下の化学式２で与えられる劣化抑制剤１重量部を高温の４−ヒドロキシ−４−メチル−２−ペンタノンおよび１、１、５−オクタフルオロ−１−ペンタノールの混合溶媒９８０重量部に溶解した。得られた溶液を０．４５μｍのフィルターでろ過した。ろ液をポリカーボネート基板３１０上にスピンコート法を用いて塗布し、再生制御層の膜厚５４０が１４０ｎｍとなるよう、色素の層（ピット最深部）を形成した。作成された色素層の光学定数ｎを測定したところｎ＝２．０５であった。その他は実施例１と同様の材料及び方法で第７図に示す構造の光ディスク３００Ｂを作製した。
2002082434.tif 000012
2002082434.tif 000013
（実施例１０）
実施例１と同様にして作製されたポリカーボネート基板３１０上に以下の化学式８で与えられるシアニン系色素１９重量部と以下の化学式２で与えられる劣化抑制剤１重量部を高温の４−ヒドロキシ−４−メチル−２−ペンタノンおよび１、１、５−オクタフルオロ−１−ペンタノールの混合溶媒９８０重量部に溶解した。得られた溶液を０．４５μｍのフィルターでろ過した。ろ液をポリカーボネート基板３１０上にスピンコート法を用いて塗布し、再生制御層の膜厚５４０が１１０ｎｍとなるよう、色素の層（ピット最深部）を形成した。作成された色素層の光学定数ｎを測定したところｎ＝２．２０であった。その他は実施例１と同様の材料及び方法で第７図に示す構造の光ディスク３００Ｂを作製した。
2002082434.tif 000014
2002082434.tif 000015
（比較例１）
実施例１と同様にして作製されたポリカーボネート基板３１０上に色素を塗布せず、基板上にスパッタリング装置を用いてＡｇ／Ａｕ合金からなる中間層３３０を５０ｎｍで成膜した。中間層３３０上に紫外線硬化樹脂をスクリーン印刷により塗布し、膜厚１０μｍの保護層３４０を形成した。こうして得られた光ディスク１０は、第１０図で示すように、ポリカーボネート基板３１０上にＡｇ／Ａｕ合金からなる中間層３３０及び紫外線硬化樹脂保護層３４０が順次積層されて成る構造を有する。
（比較例２）
実施例２では、実施例１とは異なり、再生制御層の膜厚５４０が９０ｎｍとなるよう、色素の層（ピット最深部）を形成した。その他は実施例１と同様の材料及び方法で第７図に示す構造の光ディスク３００Ｂを作製した。
（比較例３）
実施例２では、実施例１０とは異なり、再生制御層の膜厚５４０が１８０ｎｍとなるよう、色素の層（ピット最深部）を形成した。その他は実施例１と同様の材料及び方法で第７図に示す構造の光ディスク３００Ｂを作製した。
（比較例４）
実施例２では、実施例１０とは異なり、半径２４ｍｍから半径５０ｍｍにかけてＥＦＭ信号のピット列（フォーマットパターン）３１２が形成されている。ピットの深さ５２０が１６０ｎｍ、ピットの幅５１０が５００ｎｍとなるよう基板成形し、ピット列３１２は中心孔と同心円の渦巻き状もしくは同心円状に形成した。
また、半径５０ｍｍから５８ｍｍにかけて記録用のレーザービームを追従させるための幅５００ｎｍの案内溝３１４（図示せず）を中心孔と同心円の渦巻き状又は同心円状に形成した。その他は実施例１と同様の材料及び方法で第７図に示す構造の光ディスク３００Ｂを作製した。
（比較例５）
実施例２では、実施例１０とは異なり、半径２４ｍｍから半径５０ｍｍにかけてＥＦＭ信号のピット列（フォーマットパターン）３１２が形成されている。ピットの深さ５２０が１６０ｎｍ、ピットの幅５１０が３７０ｎｍとなるよう基板成形し、ピット列３１２は中心孔と同心円の渦巻き状もしくは同心円状に形成した。
また、半径５０ｍｍから５８ｍｍにかけて記録用のレーザービームを追従させるための幅３００ｎｍの案内溝３１４（図示せず）を中心孔と同心円の渦巻き状又は同心円状に形成した。その他は実施例１と同様の材料及び方法で第７図に示す構造の光ディスク３００Ｂを作製した。
（比較例６）
実施例１と同様にして作製されたポリカーボネート基板３１０上にチバガイギー製フタロシアニン色素（Ｓｕｐｅｒ  Ｇｒｅｅｎ）５重量部をブチルエーテル１９５重量部に溶解した。得られた溶液を０．４５μｍのフィルターでろ過した。ろ液をポリカーボネート基板３１０上にスピンコート法を用いて塗布し、膜厚１２０ｎｍの色素の層（ピット最深部）を形成した。作成された色素層の光学定数ｎを測定したところｎ＝１．８０であった。その他は実施例１と同様の材料及び方法で第７図に示す構造の光ディスク３００Ｂを作製した。
（比較例７）
比較例５と同様にして作製されたポリカーボネート基板３１０上にチバガイギー製フタロシアニン色素（Ｓｕｐｅｒ  Ｇｒｅｅｎ）をピット最深部が８０ｎｍの色素の層を形成した。作成された色素層の光学定数ｎを測定したところｎ＝１．８０であった。その他は実施例１と同様の材料及び方法で第７図に示す構造の光ディスク３００Ｂを作製した。
上記実施例１〜１０及び比較例１〜７で得られた光ディスクを、ナカミチ社製光情報媒体測定器ＯＭＳ２０００を用い、線速９．６ｍ／ｓｅｃで回転させ、波長７８３ｎｍ、開口度ＮＡ＝０．５５、半導体レーザーを用いて出力１．０ｍＷでＲＯＭ部に記録されている信号の読み取りを行った。測定の結果、第１４図に示す結果が得られた。即ち実施例１〜１０及び比較例１および比較例１、２、５、６の光ディスクのエラー率は０．１％以下であったが、比較例２よる光ディスクは信号振幅が小さく読み取り不能であった。従って色素の膜厚が１００ｎｍ以下では本発明の提案するＲＯＭ媒体として適さないことが明らかになった。また、比較例５による光ディスクの変調度は大きかったが、Ａｓｙｍｍｔｒｙが大きく偏っており、Ｊｉｔｔｅｒが悪く読取不能であった。従って、ピットの幅は少なくとも案内溝より狭くする必要がある。
次に線速９．６ｍ／ｓｅｃで回転させ、半径３０ｍｍから３５ｍｍの範囲のＲＯＭ部をピット列３１２に沿って出力１２．０ｍＷのパルスをランダムに照射して再生制御層３２０を再生禁止状態に変化させた。
その後、再び出力１．０ｍＷのレーザーパワーで、照射されたＲＯＭ部の信号の読み取りを行った。その結果、本発明による実施例１〜１０の光ディスク３００乃至３００Ｃは高パワーレーザーで照射されたエリアの信号は再生ができなかったが、照射した以外の範囲の再生信号はまったく変化が見られなかった。また、比較例１による光情報媒体の再生信号は、媒体の全領域にわたって、レーザー照射前と殆ど変化が見られなかった。すなわち本発明による再生制御層２５０の効果が明らかになった。
次に、実施例１〜１０及び比較例１〜７で得られた光記録媒体の半径５０ｍｍから５８ｍｍにかけてのピット列に、同測定器を用いて線速９．６ｍ／ｓｅｃで回転させ、レーザー出力１２．０ｍＷでＥＦＭ信号を記録した。信号を記録した各々の光ディスクの信号を波長７８８ｎｍ、開口度ＮＡ＝０．４５、出力値０．４ｍＷの半導体レーザーを用いた再生機で読み込み、ジッターメーターでジッター値を測定した。その結果、実施例１〜１０および比較例２、６の光記録媒体の再生信号は変調度が４０％以上あり、ジッター値はいずれも１０％以下であり、エラー率は０．１％以下であった。比較例１の光記録媒体は信号が検出されず、比較例３、５光記録媒体は変調度が小さく、それに伴うＳ／Ｎ比の低下によりジッター値が２０％以上を示した。この結果より、光ディスク３００乃至３００Ｃは、記録担体として優れた記録再生特性も有することが明らかになった。また、再生制御層２５０が厚すぎた場合、あるいは薄すぎた場合、再生禁止の効果は有するが、追記可能な媒体として適さないことが明らかになった。また、比較例５は案内溝を狭くしすぎたことによる記録感度の不足によるＳ／Ｎ比の低下がみられた。従って、案内溝の幅は少なくともピットの幅より広くする必要がある。
更にこれらの光情報媒体を温度６０℃、湿度９０％ＲＨ環境の恒湿恒温槽に１０００時間静置した後に、再度読み取りを行った。その結果、実施例１〜１０のいずれの媒体においても再生信号特性は加速環境試験前と殆ど同じであった。以上の結果から、本発明によるを情報媒体が優れた再生信号品質を持ち、なおかつ高レーザーを照射することにより任意領域を消去及び追記が可能で、高いセキュリティを有することが明らかになった。
これらの結果を第１４図にまとめ、これらの結果から議論を深めると、再生制御層２５０が存在しない比較例１は別として、再生制御層２５０が存在しているが必ずしも本発明で提案する再生制御が可能である情報媒体として機能しないことが分かった。
得られた信号について詳細に調べた結果、ＲＯＭ領域の信号とＲＡＭ領域の信号は第１５図に表すように信号レベルが異なっており、ミラー部分の反射率≒ＲＯＭの信号振幅＋ＲＡＭの信号振幅＋ＲＡＭ領域の信号のｂｏｔｔｏｍが成り立つことが分かった。即ち、ＲＯＭ領域の信号振幅が大きくなると、ＲＡＭ領域の信号振幅が小さくなり、追記可能な媒体として機能せず、逆にＲＡＭの信号が大きく得られると、ＲＯＭ領域の信号振幅が小さく、配布用のＲＯＭ媒体として機能しないことが分かった。
更に再生制御層２５０が薄すぎたり、存在しない場合はいかなる条件においても再生制御および追記機能を有さないことも明らかになった。その条件としてピット最深部における再生制御層２５０の厚みが９０ｎｍ以上でなければならないことが実施例から明らかになった。更に再生制御層２５０の厚みが９０ｎｍ以上であっても再生制御層２５０の光学定数が小さいと、満足なＲＯＭ領域の信号が得られないことも明らかになった。従って再生制御層２５０の光学定数ｎは１．９以上でなければならない。だがしかし、これらの条件を満たしても、ピットの幅が案内溝より広い場合は、ＲＯＭ領域あるいはＲＡＭ領域のいずれかの信号のＪｉｔｔｅｒが悪く、読み取りが出来なかった。
また、案内溝３１４の深さを深くすることにより、光学定数ｎの小さい色素を用いることを可能にする方法が考えられるが、通常のプロセスにおいて案内溝３４１深さは２２０ｎｍが限度である。従って例えＣＤ−Ｒに用いられるような色素を用いても本発明には使用することが出来ないことがあり得る。
実施例１〜１０および比較例１〜７の光学的干渉条件を突き詰めた結果、本発明で提案する再生制御が可能であり、なおかつ追記が可能である情報媒体はすべて、ＲＯＭ領域の凹凸部の底部と、凹凸部以外のフラット部との再生レーザー波長（λ）に対する光学的干渉の有無によって生ずる信号が、最大反射強度Ｉｔｏｐに対する信号振幅の変調度にして３５％〜６０％である場合に、ＲＯＭ領域の信号振幅が得られなおかつＲＯＭの再生制御およびＲＡＭの追記機能を両立することが分かった。
本発明の情報媒体のＲＯＭ領域の再生制御は様々な用途を有する。具体的な再生禁止は、例えば、駆動装置４００が行う。駆動装置４００は、第１１図に示すように、ヘッド４１０と、ＣＰＵ４２０と、メモリ４３０と、信号処理回路４４０と、駆動部４５０と、駆動制御部４６０と、インターフェース部４７０と、タイマ４８０とを有して、光ディスク１００、２００、３００等を着脱可能に収納することができる。ここでは、光ディスク２００を例に説明する。ここで、第１１図は、本発明の再生制御方法を行う駆動装置４００の概略ブロック図である。
ＣＰＵ４２０は、本発明の再生制御方法を実行する他、駆動装置４００の各部の動作を制御する。メモリ４３０は、例えば、システムの動作プログラムやデータなどを格納するＲＯＭなどの不揮発性メモリと、ヘッド４１０が光ディスク２００から読み出した情報及び必要な制御プログラムを一時的に格納するＲＡＭなどの揮発性メモリとを含む。信号処理回路４４０は、ヘッドが光ディスク２００に記録する信号と光ディスク２００から再生する信号を処理する。駆動部４５０はディスク２００を回転するスピンドルモータとヘッドを駆動する駆動機構その他の駆動系を含んでおり、駆動制御部４６０によって制御（例えば、モータの回転制御）される。インターフェース部４７０は、駆動装置４００を上位装置であるパーソナルコンピュータなどの外部装置に接続する。なお、各コンポーネントには当業界で既知のいかなる構成をも適用することができるので、各部の詳細な構造はここでは省略する。
ＣＰＵ４２０は、本発明の再生制御方法を実行する他、駆動装置４００の各部の動作を制御する。メモリ４３０は、例えば、システムの動作プログラムやデータなどを格納するＲＯＭなどの不揮発性メモリと、ヘッド４１０が光ディスク２００から読み出した情報及び必要な制御プログラムを一時的に格納するＲＡＭなどの揮発性メモリとを含む。信号処理回路４４０は、ヘッドが光ディスク２００に記録する信号と光ディスク２００から再生する信号を処理する。駆動部４５０はディスク２００を回転するスピンドルモータとヘッドを駆動する駆動機構その他の駆動系を含んでおり、駆動制御部４６０によって制御（例えば、モータの回転制御）される。インターフェース部４７０は、駆動装置４００を上位装置であるパーソナルコンピュータなどの外部装置に接続する。タイマ４８０は、後で説明するように、駆動日時を履歴情報に含めるための時計である。日時の不正な変更を防ぐために通信（例えば、無線、有線）を利用して調整することも可能である。なお、各コンポーネントには当業界で既知のいかなる構成をも適用することができるので、各部の詳細な構造はここでは省略する。
本発明の再生制御処理を第１２図を参照して説明する。ここで、第１２図は、本発明の再生制御処理を説明するフローチャートである。まず、ＣＰＵ４２０は、記録可能領域に記録された履歴情報（識別子、再生回数、再生時間、有効期限）もしくは、記録可能領域の残容量もしくは、光ディスク２００の固有の識別番号をもとにＲＯＭ領域の情報の再生が禁止されるべきかどうかを判断する（ステップ１００２）。
まず、光ディスク２００が海賊版や再販売の場合に全ての情報の再生を禁止することが考えられる。
一方、ＣＰＵ４２０は、光ディスク２００のＲＯＭ領域２３０の一部の情報の再生を禁止すべきと判断する場合もある。かかる場合は、例えば、生産の便宜から複数の情報又は完全な情報を一度に記録するが、正当な権限を有する範囲以外の情報の再生を禁止するシステムに利用されるであろう。例えば、１０曲分のヒット曲をＲＯＭ領域２３０に収録した光ディスク２００をユーザが購入し、４曲分の値段を支払った場合に、残り６曲分の情報の再生を禁止する場合がある。また、複数又は完全なストーリーからなるゲームをＲＯＭ領域２３０に収録した光ディスク２００に関して、ユーザが未成年である場合に暴力的なストーリー又はシーンが再生されることを禁止すると判断する場合がある。また、当該光ディスク２００が宣伝広告用である場合に部分的に再生を禁止する場合がある。更には、一定時間のみ有効な情報の再生を当該期間の経過後に禁止する場合がある。また、各種ソフトウェア（例えば、文章作成、ゲーム、画像、サウンド、ビジネス、学習用、ユーティリティ）のインストールおよび再生の回数制限を設ける場合がある。
ＣＰＵ４２０は、再生が禁止されるべき情報があると判断すると、当該情報に対応する位置の再生制御層２５０に光照射を行って再生禁止状態に変化させる（ステップ１００６）。ＲＯＭ領域の再生禁止をおこなうために、レーザー波長７８３ｎｍ、レンズ開口比０．５５の光学ヘッドを用い、線速９．６ｍ／ｓでディスクを回転させて、レーザー出力１２ｍＷでパルス光照射を行った。パルスパターンとしてはディスク上の再生禁止ピットのサイズとして、０．５μｍから２．０μｍのマーク及びスペースが、ランダムに混在するパターンをＲＯＭ部に照射した。これにより、有機色素から成る再生禁止層にランダムなピットが形成され、基板の凹凸のプリピットから成るＲＯＭと無相関に重ね書きされた状態となった。この部分から再生された信号は、無秩序なランダム信号となり、元のＲＯＭ信号の検出は不可能となった。
更に、高パワーの再生禁止のレーザー光を照射すると、再生禁止層の変化に加えて、基板上の凹凸のプリペットも変形をきたし、さらに再生信号の無秩序性は向上した。これにより、上述の実施例で説明したように当該情報の再生は不可能になる。また、必要があれば、エラーメッセージを図示しないディスプレイに表示したり、スピーカーに警告音を発せさせたりする（ステップ１００８）。
ＣＰＵ４２０は、再生禁止状態への変化（ステップ１００６）が終了かつ再生可能領域が残されている場合（ステップ１００９）もしくは、禁止される情報が存在しないと判断したら通常動作を行い（ステップ１００４）、ヘッド４１０がＲＯＭ領域２３０上にある場合にはヘッド４１０に再生を許容し、ＲＡＭ領域２２０上にある場合にはヘッド４１０に記録再生を許容する。動作終了する際（ステップ１０１０）は、その前処理として記録可能領域に対して履歴情報（識別子、再生回数、再生時間、有効期限）の記録もしくは、記録可能領域の残容量を履歴情報およびダミーマークの記録により調整する（ステップ１０１１）。
以上、本発明の好ましい実施例について説明したが、本発明はこれらの実施例に限定されず、その要旨を逸脱しない限り、様々な変形及び変更を行うことができる。
産業上の利用の可能性
本発明による再生制御方法及び駆動装置によれば、光照射により状態が変化する再生制御層を利用して、複製されやすい再生専用領域の特定箇所に予め記録された情報を再生を制御する。特に、再生制御層は物理的又は化学的に状態が変化するので再生制御をソフト的に行うよりも確実であり、情報流出防止の面からは高いセキュリティを有する。
【図面の簡単な説明】
第１図は、本発明が適用可能な情報媒体の一例としての光ディスクの概略側面図である。
第２図は、第１図に示す光ディスクの変形例の概略側面図である。
第３図は、第１図に示す光ディスクの別の変形例の概略平面図である。
第４図は、第３図に示す光ディスクの概略断面図である。
第５図は、第１図に示す光ディスクの更に別の変形例の概略平面図である。
第６図は、本発明の第一実施例の光ディスクの部分概略断面図である。
第７図は、本発明の第二実施例の光ディスクの部分概略断面図である。
第８図は、本発明の第三実施例の光ディスクの部分概略断面図である。
第９図は、本発明の第四実施例の光ディスクの部分概略断面図である。
第１０図は、第６図乃至第９図に示す光ディスクに対する比較例としての従来の光ディスクの部分概略断面図である。
第１１図は、本発明の再生制御方法を行う駆動装置４００の概略ブロック図である。
第１２図は、本発明の再生制御処理を説明するフローチャートである。
第１３図は、本発明の実施例の光ディスクの再生部分概略断面図である。
第１４図は、本発明の実施例による測定結果の一覧である。
第１５図は、本発明の実施例を測定したＲＦ信号の模式図である。
第１６図は、本発明のファイル管理方法を説明するためのディレクトリ構造を示す図である。
【図１】
2002082434.tif 000016
【図２】
2002082434.tif 000017
【図３】
2002082434.tif 000018
【図４】
2002082434.tif 000019
【図５】
2002082434.tif 000020
【図６】
2002082434.tif 000021
【図７】
2002082434.tif 000022
【図８】
2002082434.tif 000023
【図９】
2002082434.tif 000024
【図１０】
2002082434.tif 000025
【図１１】
2002082434.tif 000026
【図１２】
2002082434.tif 000027
【図１３】
2002082434.tif 000028
【図１４】
2002082434.tif 000029
【図１５】
2002082434.tif 000030
【図１６】
2002082434.tif 000031
【手続補正書】
【提出日】平成15年4月24日(2003.4.24)
【手続補正００１】
【補正対象書類名】特許請求の範囲
【補正対象項目名】全文
【補正方法】変更
【補正の内容】
【特許請求の範囲】
【請求項１】
射出成形法により形成された凹凸を有して再生されるべき情報が記録される再生専用領域と、
情報を新たに又は追加的に記録することができる記録可能領域と、
前記再生専用領域に積層されて光照射により状態が変化し、前記記録可能領域にも積層されて当該記録可能領域への記録を可能にする有機色素からなる再生制御層とを有する情報媒体であって、前記情報の中で再生が禁止される情報を決定するステップと、
前記再生が禁止された情報に対応する前記再生専用領域の位置に前記光照射を行って前記再生制御層を前記情報の再生が可能な再生許容状態から前記情報の再生が不可能な再生禁止状態に変化させるステップとを有する再生制御方法。
【請求項２】
（削除）
【請求項３】
前記情報媒体は、ディレクトリのファイルに対応した管理情報を記録単位毎に配置し、
前記変化ステップは、前記管理情報を再生禁止状態に設定する請求項１記載の再生制御方法。
【請求項４】
前記記録単位は誤り訂正符号単位である請求項３記載の再生制御方法。
【請求項５】
前記光照射ステップは、前記情報媒体の再生装置を使用する請求項１記載の再生制御方法。
【請求項６】
（削除）
【請求項７】
前記情報媒体は、情報を新たに又は追加的に記録することができる記録可能領域を更に含み、
前記決定ステップは、前記記録可能領域に記録された駆動装置に固有の識別子と駆動日時とを含む履歴情報を利用する請求項１記載の再生制御方法。
【請求項８】
前記履歴情報は前記再生専用領域が格納する各データの再生条件を含み、前記変化ステップは、前記履歴情報を読み出して前記データを再生禁止にするステップを有する請求項７記載の再生制御方法。
【請求項９】
前記再生条件は前記データの再生回数を含む請求項８記載の再生制御方法。
【請求項１０】
前記再生条件は前記データの再生時間を含む請求項８記載の再生制御方法。
【請求項１１】
前記再生条件は前記データの有効期限を含む請求項８記載の再生制御方法。
【請求項１２】
前記記録可能領域の残容量を利用して、前記再生専用領域が格納する各データを再生禁止にするかどうかを判断するステップを更に有する請求項１記載の再生制御方法。
【請求項１３】
前記残容量の調整に請求項７記載の履歴情報の記録及びダミーマークの記録を利用する請求項１２記載の再生制御方法。
【請求項１４】
再生されるべき情報が記録された再生専用領域と、情報を新たに又は追加的に記録することができる記録可能領域と、前記再生専用領域に積層されて光照射により状態が変化し、前記記録可能領域にも積層されて当該記録可能領域への記録を可能にする有機色素からなる再生制御層と、情報媒体を駆動し、前記記録可能領域へ情報を記録する記録部とを有する駆動装置であって、
前記情報を再生する再生部と、
前記再生専用領域の所定位置に前記光照射を行って前記再生制御層を前記情報の再生が可能な再生許容状態から前記情報の再生が不可能な再生禁止状態に変化させて前記所定位置に対応する情報の再生を禁止する光照射部とを有する駆動装置。
【請求項１５】
（削除）
【請求項１６】
前記再生専用領域からの再生信号と、前記記録可能領域で記録された情報の再生信号のそれぞれの反射強度レベルを検出する検出部と、
前記検出部の判断に基づいて前記情報媒体が前記再生制御層を有するかどうかを判断する判断部とを有する請求項１４記載の駆動装置。
【請求項１７】
前記情報媒体は、情報を新たに又は追加的に記録することができる記録可能領域を更に含み、
前記駆動装置は、前記記録可能領域に記録された駆動装置に固有の識別子を格納するメモリとタイマを更に有する請求項１４記載の駆動装置。
【請求項１８】
前記駆動装置は、通信により駆動装置の外部装置から時間情報を取得する機能を有する請求項１４記載の駆動装置．
【請求項１９】
射出成形法により形成された凹凸ピットから形成され、再生されるべき情報が記録される再生専用領域と、
情報を新たに又は追加的に記録することができる記録可能領域と、
有機色素により形成されると共に前記再生専用領域及び前記記録可能領域に積層され、光照射により、前記再生専用領域の再生又は前記記録可能領域の記録再生を許容する許容状態から前記再生専用領域の再生又は前記記録可能領域の記録再生を禁止する禁止状態に変化する記録可能な再生制御層とを有する情報媒体であって、
前記再生専用領域及び前記記録可能領域は、フォトレジストを用いたマスタリングプロセスにより作成された単一のスタンパにより製造されることを特徴とする情報媒体。
【請求項２０】
前記記録可能領域は案内溝を有し、当該案内溝の溝幅は、前記再生専用領域の凹凸ピットの幅よりも広い請求項１９記載の情報媒体。
【請求項２１】
前記記録可能領域は案内溝を有し、
前記有機色素は、前記再生専用領域の前記凹凸ピット及び前記記録可能領域の前記案内溝の底部に９０ｎｍ以上の厚さを有する請求項１９記載の情報媒体。
【請求項２２】
前記再生制御層の再生レーザー光波長に対する屈折率ｎは、１．９以上である請求項１９記載の情報媒体。
【請求項２３】
前記スタンパは、
前記フォトレジストを１４０ｎｍ乃至２２０ｎｍの厚みで形成するステップと、
レーザーカッティングするステップとを有する方法によって作成される請求項１９記載の情報媒体。
【請求項２４】
前記再生専用領域の前記凹凸ピットの厚みは１３０ｎｍ乃至２３０ｎｍである請求項１９記載の情報媒体。
【請求項２５】
前記再生専用領域はフラット部を更に有し、
前記再生制御層は、前記凹凸ピットの底部と前記フラット部との再生レーザー光の波長に対する光学的干渉の有無によって生ずる信号が、最大反射強度に対する信号振幅の変調度にして３５％〜６０％である請求項１７記載の情報媒体。
【請求項２６】
再生されるべき情報が記録される再生専用領域を射出成形法により形成された凹凸ピットから形成するステップと、
情報を新たに又は追加的に記録することができる記録可能領域を形成するステップと、
有機色素により形成されると共に前記再生専用領域及び前記記録可能領域に積層され、光照射により、前記再生専用領域の再生又は前記記録可能領域の記録再生を許容する許容状態から前記再生専用領域の再生又は前記記録可能領域の記録再生を禁止する禁止状態に変化する記録可能な再生制御層を有機色素により形成するステップとを有し、
前記再生専用領域及び前記記録可能領域の形成ステップは、フォトレジストを用いたマスタリングプロセスにより作成された単一のスタンパにより製造される情報媒体の製造方法。
【請求項２７】
前記スタンパは、
前記フォトレジストを１４０ｎｍ乃至２２０ｎｍの厚みで形成するステップと、
レーザーカッティングするステップとを有する方法によって作成される請求項２６記載の方法。
【国際調査報告】
2002082434.tif 000032
2002082434.tif 000033
2002082434.tif 000034
2002082434.tif 000035